(57)【要約】【課題】能動型半透過素子を具備するディスプレイ装置を提供する。【解決手段】光に対する透過率及び反射率が電気的に制御される能動型半透過素子２００と、能動型半透過素子２００によって反射及び／または透過された光を変調して画像を形成するディスプレイパネル３００とを含むディスプレイ装置である。【選択図】図１
2010066767.tif 000002
【特許請求の範囲】
【請求項１】
光に対する透過率及び反射率が電気的に制御される能動型半透過素子と、
前記能動型半透過素子によって反射及び／または透過された光を変調して画像を形成するディスプレイパネルとを含むディスプレイ装置。
【請求項２】
前記能動型半透過素子は、前記能動型半透過素子に電圧が印加されていないときに、光を反射させることを特徴とする請求項１に記載のディスプレイ装置。
【請求項３】
前記能動型半透過素子は、前記能動型半透過素子に第１電圧が印加されるとき、光を透過させることを特徴とする請求項１または２に記載のディスプレイ装置。
【請求項４】
前記能動型半透過素子は、前記能動型半透過素子に第２電圧が印加されるとき、光を透過及び反射させることを特徴とする請求項１または２に記載のディスプレイ装置。
【請求項５】
前記ディスプレイパネルは、液晶層の透過率を調節して光を変調することを特徴とする請求項１〜４のいずれか一項に記載のディスプレイ装置。
【請求項６】
前記液晶層は、高分子分散型液晶にブラック染料を混合してなることを特徴とする請求項５に記載のディスプレイ装置。
【請求項７】
前記ディスプレイパネルは、帯電粒子の電気泳動を利用して光を変調することを特徴とする請求項１〜４のいずれか一項に記載のディスプレイ装置。
【請求項８】
前記ディスプレイパネルは、電気湿潤物質を利用して光を変調することを特徴とする請求項１〜４のいずれか一項に記載のディスプレイ装置。
【請求項９】
前記ディスプレイパネルは、電気変色素子を利用して光を変調することを特徴とする請求項１〜４のいずれか一項に記載のディスプレイ装置。
【請求項１０】
前記能動型半透過素子は、高分子分散型液晶からなることを特徴とする請求項１〜９のいずれか一項に記載のディスプレイ装置。
【請求項１１】
前記能動型半透過素子は、前記高分子分散型液晶にナノ構造物質を挿入して形成されたことを特徴とする請求項１０に記載のディスプレイ装置。
【請求項１２】
前記ナノ構造物質は白色紙を含むことを特徴とする請求項１１に記載のディスプレイ装置。
【請求項１３】
前記ナノ構造物質は、散乱性物質に複数のナノ気孔が形成されることを特徴とする請求項１１に記載のディスプレイ装置。
【請求項１４】
前記散乱性物質は、Ａｌ２Ｏ３またはＢａＳＯ４であることを特徴とする請求項１３に記載のディスプレイ装置。
【請求項１５】
前記ナノ構造物質は、チューブ型またはワイヤ形態のナノ粒子であることを特徴とする請求項１１のいずれか一項に記載のディスプレイ装置。
【請求項１６】
前記ナノ粒子は、ＴｉＯ２、ＺｎＯ、ＢａＴｉＯ３、ＰｂＴｉＯ３、Ｐｂ（Ｚｒ，Ｔｉ）Ｏ３、Ａｌ２Ｏ３、ＳｉＯ２、ＢａＯ、ＳｒＴｉＯ３、ＺｎＳ、ＢａＳＯ４のうち選択されたいずれか一つからなることを特徴とする請求項１５に記載のディスプレイ装置。
【請求項１７】
バックライトユニットをさらに含むことを特徴とする請求項１〜１６のいずれか一項に記載のディスプレイ装置。
【発明の詳細な説明】
【技術分野】
【０００１】
本発明はディスプレイ装置に係り、特に、入射される光の反射及び透過特性を適切に調節することによって、明るさが増加しかつ、電力消費量の少ないディスプレイ装置に関する。
【背景技術】
【０００２】
最近、携帯電話、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ＤＭＢ（ｄｉｇｉｔａｌ  ｍｕｌｔｉｍｅｄｉａ  ｂｒｏａｄｃａｓｔｉｎｇ）など、携帯機器の普及が拡大されるにつれて、低電力消耗、野外でも視認性にすぐれたディスプレイが要求されている。
【０００３】
そのような要求に伴って、反射型ディスプレイ素子と透過型ディスプレイ素子との機能を結合した形態の半透過（ｔｒａｎｓｆｌｅｃｔｉｖｅ）ＬＣＤ（ｌｉｑｕｉｄ  ｃｒｙｓｔａｌ  ｄｉｓｐｌａｙ）に対する研究が活発に進められている。半透過ＬＣＤは、バックライトユニットからの光及び／または野外光を利用して画像を形成するので、太陽光熱が照る明るい環境で使用する場合にも、ディスプレイの視認性が確保され、消費電力を減らすという点で有利である。ただし、この場合、液晶セルの領域が二等分されて反射領域と透過領域とに割り当てられるが、製造工程が比較的に複雑であり、また、入射光を分けて使用するので、輝度低下の原因になりうる。
【０００４】
このため、輝度と野外視認性とが適切に確保される構造の半透過型ディスプレイ装置についての研究が必要である。
【発明の概要】
【発明が解決しようとする課題】
【０００５】
前述のような必要性に伴って、本発明の実施形態は、輝度と野外視認性とが適切に確保され、電力消費の少ないディスプレイ装置を提供するものである。
【課題を解決するための手段】
【０００６】
本発明の実施形態によるディスプレイ装置は、光に対する透過率及び反射率が電気的に制御される能動型半透過素子と、前記能動型半透過素子によって反射及び／または透過された光にＬ変調して画像を形成するディスプレイパネルとを含むディスプレイ装置である。
【０００７】
前記ディスプレイパネルは、液晶層の透過率を調節して光を変調でき、前記液晶層には、高分子分散型液晶にブラック染料が混合されうる。
【０００８】
前記ディスプレイパネルは、帯電粒子の電気泳動を利用して光を変調するか、または電気湿潤物質を利用して光を変調するか、または電気変色素子を利用して光を変調するように構成されうる。
【０００９】
前記能動型半透過素子は、高分子分散型液晶からなり、または高分子分散型液晶にはナノ構造体が挿入されうる。
【００１０】
本発明の実施形態によるディスプレイ装置は、バックライトユニットと、光に対する透過率及び反射率が電気的に制御される能動型半透過素子と、前記能動型半透過素子によって反射及び／または透過された光を変調して画像を形成するディスプレイパネルとを含む。
【発明の効果】
【００１１】
本発明の実施形態によるディスプレイ装置は、入射される光の反射及び透過特性を適切に調節できる能動型半透過素子を具備することによって、ディスプレイパネルの前面のみだけではなく、背面から入射される野外光を効率的に利用できる。また、バックライトユニットを共に具備する場合、周辺の照明条件によって、野外光とバックライトの光とを効率的に利用できる。従って、本発明の実施形態によるディスプレイ装置は、輝度と野外視認性とが確保されつつも、電力消耗が少ないというメリットを有する。
【図面の簡単な説明】
【００１２】
【図１】本発明の実施形態によるディスプレイ装置の概略的な構成を示す図面である。
【図２Ａ】図１のディスプレイ装置がディスプレイパネルの前面から入射された光をオフ変調するところを示す図面である。
【図２Ｂ】図１のディスプレイ装置がディスプレイパネルの前面から入射された光をオン変調するところを示す図面である。
【図３Ａ】図１のディスプレイ装置がディスプレイパネルの背面から入射された光をオフ変調するところを示す図面である。
【図３Ｂ】図１のディスプレイ装置がディスプレイパネルの背面から入射された光をオン変調するところを示す図面である。
【図４Ａ】図１のディスプレイ装置がディスプレイパネルの前面及び背面から入射された光をオフ変調するところを示す図面である。
【図４Ｂ】図１のディスプレイ装置がディスプレイパネルの前面及び背面から入射された光をオン変調するところを示す図面である。
【図５】本発明の他の実施形態によるディスプレイ装置の概略的な構成を示す図面である。
【図６】本発明のさらに他の実施形態によるディスプレイ装置の概略的な構成を示す図面である。
【図７】本発明のさらに他の実施形態によるディスプレイ装置の概略的な構成を示す図面である。
【図８】本発明のさらに他の実施形態によるディスプレイ装置の概略的な構成を示す図面である。
【図９】図１ないし図８のディスプレイ装置に採用される能動型半透過素子の変形された実施形態を示す図面である。
【図１０】図１ないし図８のディスプレイ装置に採用される能動型半透過素子の変形された実施形態を示す図面である。
【図１１】図１ないし図８のディスプレイ装置に採用される能動型半透過素子の変形された実施形態を示す図面である。
【図１２Ａ】本発明のさらに他の実施形態によるディスプレイ装置の概略的な構造と、それぞれ反射型で光を変調する様子を示す。
【図１２Ｂ】本発明のさらに他の実施形態によるディスプレイ装置の概略的な構造と、それぞれ透過型で光を変調する様子を示す。
【図１２Ｃ】本発明のさらに他の実施形態によるディスプレイ装置の概略的な構造と、それぞれ半透過型で光を変調する様子を示す。
【発明を実施するための形態】
【００１３】
以下、添付された図面を参照しつつ、本発明の望ましい実施形態について詳細に説明する。以下の図面で同じ参照符号は、同じ構成要素を指し、図面上で各構成要素の大きさは、説明の明瞭性と便宜さとのために、誇張されていることがある。
【００１４】
図１は、本発明の実施形態によるディスプレイ装置１０００の概略的な構成を示している。図面を参照すれば、ディスプレイ装置１０００は、能動型半透過素子２００と、ディスプレイパネル３００とを含み、ディスプレイパネル３００の前面から入射する光Ｌｆだけではなく、ディスプレイパネル３００の背面から入射する光Ｌｂをも画像形成光として利用できるように構成されている。
【００１５】
能動型半透過素子２００は、光に対する透過率及び反射率が電気的に制御されるように構成されたものであり、高分子分散型液晶（ＰＤＬＣ：ｐｏｌｙｍｅｒ  ｄｉｓｐｅｒｓｅｄ  ｌｉｑｕｉｄ  ｃｒｙｓｔａｌ）により形成される第１液晶層２３０を具備する。ＰＤＬＣは、電場が印加されていない状態では、ポリマーと液晶との誘電率差によって入射された光を散乱させ、電場が印加された状態では、電場によって整列された液晶とポリマーとの誘電率差が減って透明になり、光を透過させる性質を有する。具体的には、第１基板２１０と第２基板２５０との間に、第１液晶層２３０が設けられ、第１液晶層２３０に電場を印加して反射／透過の特性を制御するために、第１基板２１０及び第２基板２５０の内面には、透明電極層２２０，２４０が形成される。透明電極層２２０，２４０に印加される電圧の大きさを調節することによって、第１液晶層２３０の反射率及び透過率が調節されうる。
【００１６】
ディスプレイパネル３００は、能動型半透過素子２００によって、反射及び／または透過された光を変調して画像を形成するためのものであり、本実施形態では、液晶の透過率を調節して光を変調する構成を採択している。具体的に、ディスプレイパネル３００は、ＰＤＬＣにブラック染料（ｄｙｅ）を混合して構成した第２液晶層３３０を具備する。そのような第２液晶層３３０は、電場が印加された状態ではＰＤＬＣが光を散乱させると同時にブラック染料によって光が吸収され、電場が印加されていない状態では光を透過させるので、それぞれの状態によって、画素のオン／オフを具現できる。そのような構造は、入射された光の偏光を利用するものではないので、一般的な液晶パネルと異なり、偏光板を必要としない。第２液晶層３３０は、第２基板２５０と第３基板３６０との間に設けられ、第３基板３６０の内面には、カラーを表現するためのカラーフィルタ３５０が設けられている。また、第２液晶層３３０を個々の画素に対応して制御するために、透明電極層３２０，３４０とＴＦＴ（ｔｈｉｎ  ｆｉｌｍ  ｔｒａｎｓｉｓｔｏｒ）層３１０とが設けられている。第３基板３６０の外面が、画像をディスプレイする表示面になる。
【００１７】
以下、本発明の実施形態によるディスプレイ装置１０００が、ディスプレイパネル３００の前面及び／または背面から入射する光を利用して画像を形成する原理について、図２Ａ、図２Ｂ、図３Ａ、図３Ｂ、図４Ａ及び図４Ｂを参照しつつ、具体的に説明する。図面は、１個のサブ画素についてのみ光がオン／オフされる光路を示す。
【００１８】
まず、図２Ａ及び図２Ｂは、図１のディスプレイ装置１０００がディスプレイパネル３００の前面から入射された光（Ｌｆ）をオン／オフ変調し、反射によって画像を形成するところを示している。このように、反射によって画像を形成するために、能動型半透過素子２００は、反射板の役割を果たさなくてはならないので、透明電極層２２０，２４０に電圧を印加せずに、第１液晶層２３０を形成するＰＤＬＣが光を散乱させるモードにする。図２Ａは、第２液晶層３３０にも電圧が印加されずに液晶が整列されていない状態を示し、ＰＤＬＣは、ポリマーと液晶との誘電率差によって、光を散乱させるモードにある。このとき、ＰＤＬＣに混合されたブラック染料によって光が吸収され、表示面側に光が出射されずにピクセルオフ状態となる。図２Ｂは、第２液晶層３３０に電圧が印加されることによって液晶が整列された状態を示している。この場合、液晶とポリマーとの誘電率差が減少することによって、ＰＤＬＣは、光を透過させる透明な状態となる。また、能動型半透過素子２００は、第１液晶層２３０に電場が印加されずに反射板としての効果を発揮することによって、ディスプレイパネル３００の前面から入射された光Ｌｆが表示面側に出射され、対応するカラーフィルタ３５０の色相を示すピクセルオン状態を形成する。
【００１９】
図３Ａ及び図３Ｂは、図１のディスプレイ装置１０００がディスプレイパネル３００の背面から入射された光Ｌｂをオン／オフ変調し、透過型で画像を形成する様子を示している。このように、透過型で画像を形成するために、能動型半透過素子２００は、光を透過させるために透明でなければならないので、透明電極層２２０，２４０に電圧を印加してその大きさを調節し、第１液晶層２３０が光を透過させるモードにする。図３Ａは、第２液晶層３３０には電圧が印加されずに、液晶が整列されていない状態を示している。この場合、ＰＤＬＣは、ポリマーと液晶との誘電率差によって光を散乱させるモードにあるが、ＰＤＬＣに混合されたブラック染料によって光が吸収される。すなわち、能動型半透過素子２００を透過した光Ｌｂは、第２液晶層３３０で吸収され、表示面側に出射されずにピクセルオフ状態となる。図３Ｂは、第２液晶層３３０に電圧が印加され、これによって液晶が整列された状態を示す。この場合、液晶とポリマーとの誘電率差が減少することによって、ＰＤＬＣは、光を透過させる透明な状態となる。ディスプレイパネル３００の背面から入射された光Ｌｂは、能動型半透過素子２００及び第２液晶層３３０を透過し、対応するカラーフィルタ３５０の色相を表示面に示すピクセルオン状態を形成する。
【００２０】
図４Ａ及び図４Ｂは、図１のディスプレイ装置１０００がディスプレイパネル３００の前面及び背面から入射された光をいずれも利用し、半透過型で光を変調する様子を示している。このように、半透過型で画像を形成するために、能動型半透過素子２００は、ディスプレイパネル３００の前面から入射された光Ｌｆは反射させ、ディスプレイパネル３００の背面から入射された光Ｌｂを透過させるように、反射／透過の特性を兼備させなければならない。このために、透明電極層２２０，２４０に電圧を印加してその大きさを適切に調節し、第１液晶層２３０が半透過状態にあるようにする。半透過程度を設定する際には、ディスプレイパネル３００の前面から入射される光Ｌｆとディスプレイパネル３００の背面から入射される光Ｌｂとの明るさなどを適宜考慮する。図４Ａは、第２液晶層３３０には電圧が印加されずに、液晶が整列されていない状態を示す。この場合、ＰＤＬＣは、ポリマーと液晶との誘電率差によって光を散乱させるモードにあるが、ＰＤＬＣに混合されたブラック染料によって、光が吸収される。すなわち、ディスプレイパネル３００の前面から入射された光Ｌｆと、ディスプレイパネル３００の背面から入射されて能動型半透過素子２００を透過した光Ｌｂは、第２液晶層３３０で吸収され、表示面側に出射されずにピクセルオフ状態となる。図４Ｂは、第２液晶層３３０に電圧が印加され、これによって液晶が整列された状態を示す。この場合、液晶とポリマーとの誘電率差が減少することによって、ＰＤＬＣは、光を透過させる透明な状態となる。ディスプレイパネル３００の前面から入射された光Ｌｆは、能動型半透過素子２００で反射されることによって、画像形成光として寄与し、ディスプレイパネル３００の背面から入射された光Ｌｂは、能動型半透過素子２００で反射されることによって、画像形成光として寄与し、対応するカラーフィルタ３５０の色相を表示面に示すピクセルオン状態を形成する。
【００２１】
以上、説明した通り、本発明の実施形態によるディスプレイ装置１０００は、能動型半透過素子２００の反射／透過の特性が調節されるので、ディスプレイパネル３００の前面及び／または背面から入射される光を適切に利用できる構造である。このような構造は、野外光を利用して反射型で画像を形成する一般的なディスプレイ装置が表示面側から入射される光のみを利用するのと比較すると、輝度や電力消費面で、有利である。
【００２２】
ディスプレイパネル３００や能動型半透過素子２００は、説明された構造だけではなく、上述のような目的に合致するように多様に変形でき、以下では、他の実施形態について説明する。
【００２３】
図５は、本発明の他の実施形態によるディスプレイ装置２０００の概略的な構成を示している。本実施形態のディスプレイ装置２０００は、能動型半透過素子２００とディスプレイパネル４００とを含み、ディスプレイパネル４００が一般的な液晶パネルであるという点で、図１の実施形態と違いがある。ディスプレイパネル４００は、印加された電圧及び入射光の偏光によって透過率が調節される液晶層４３０を具備する。液晶層４３０は、２枚の透明基板４２０，４５０間に設けられ、２枚の透明基板４２０，４５０の外面には、それぞれ偏光板４１０，４６０が設けられている。また、透明基板４５０の内面には、カラー形成のためのカラーフィルタ４４０が設けられ、その他図示しないが、個々の画素に対応して液晶層４３０を制御するための画素電極、ＴＦＴ層などが設けられる。
【００２４】
図６は、本発明のさらに他の実施形態によるディスプレイ装置の概略的な構成を示している。本実施形態のディスプレイ装置３０００は、能動型半透過素子２００とディスプレイパネル５００とを含み、ディスプレイパネル５００が帯電粒子の電気泳動を利用する点で、図１の実施形態と違いがある。ディスプレイパネル５００は、第２基板２５０と第３基板５６０との間の領域を区画する隔壁５２０、隔壁５２０によって形成された空間５３０に設けられた電気泳動粒子５４０を含む。空間５３０は、液体またはガスからなる分散媒体で充填されていることが可能である。電気泳動粒子５４０は、所定カラーで着色され、所定電荷で帯電されており、第２基板２５０及び第３基板５６０には、帯電された電気泳動粒子５４０を採集するように電圧が印加される透明電極層５１０，５５０が形成されている。２層の透明電極層５１０，５５０の大きさは、互いに異なるように形成され、帯電された電気泳動粒子５４０が採集される電極層によって表示される色相が変わることを利用して画像を形成する。透明電極層５１０，５５０の具体的な配置構造は、多様に変形されうる。
【００２５】
図７は、本発明のさらに他の実施形態によるディスプレイ装置４０００の概略的な構成を示している。本実施形態のディスプレイ装置４０００は、能動型半透過素子２００とディスプレイパネル６００とを含み、ディスプレイパネル６００は、電気変色素子を利用してディスプレイを形成する点で、図１の実施形態と違いがある。ディスプレイパネル６００は、第２基板２５０と第３基板６５０との間の領域を区画する隔壁６２０、前記隔壁６２０によって形成された空間に設けられた電気変色層６３０を含む。電気変色層６３０は、例えば、電気変色素子を電解質に混合して形成されうる。該電気変色素子は、電子または正孔によって色相が変色する物質である。すなわち、該電気変色素子を電解質に混合して電場を印加すれば、電子または正孔が変色物質に結合し、色相が現れたり色相がなくなったりする現象が現れる。第２基板２５０及び第３基板６５０が電気変色層６３０と対向する面には、電気変色層６３０に電場を形成するために電圧が印加される透明電極層６１０，６４０が形成される。
【００２６】
図８は、本発明のさらに他の実施形態によるディスプレイ装置５０００の概略的な構成を示している。本実施形態のディスプレイ装置５０００は、能動型半透過素子２００とディスプレイパネル７００とを含み、ディスプレイパネル７００は、電気湿潤物質を利用してディスプレイを形成する点で、図１の実施形態と違いがある。ディスプレイパネル７００は、第２基板２５０と第３基板７５０との間の領域を区画する隔壁７２０、隔壁７２０によって形成された空間に設けられた電気湿潤層７３０を含む。電気湿潤（ｅｌｅｃｔｒｏｗｅｔｔｉｎｇ）とは、界面に存在する電荷によって界面の表面張力が変化し、液状物質が等しく広がったり、または一方に集まる現象を意味し、そのような液状物質に色相を示す染料または顔料を混合し、ディスプレイ素子として応用される。第２基板２５０及び第３基板７５０が電気湿潤層７３０と対向する面には、電気湿潤層７３０に電場を形成するために電圧を印加する透明電極層７１０，７５０が形成される。
【００２７】
図９ないし図１１は、図１ないし図８のディスプレイ装置に採用される能動型半透過素子２００の変形された実施形態を示している。このような実施形態は、反射率を高めるために、ＰＤＬＣにナノ構造物質を挿入したものを能動型半透過素子に採用している。
【００２８】
図９を参照すれば、透明電極層２２０，２４０がそれぞれ第１基板２１０及び第２基板２５０の内面で半透過層２３２を狭持し、透明電極層２２０，２４０の外縁で能動型半透過素子２０２が、ＰＤＬＣにネットワーク（ｎｅｔｗｏｒｋ）構造を有する白色紙を混合されて形成される。
【００２９】
図１０に図示された能動型半透過素子２０４は、透明電極層２２０，２４０がそれぞれ形成された第１基板２１０及び第２基板２５０間に半透過層が設けられ、半透過層は、ＰＤＬＣからなる第１液晶層２３０にナノ構造体２３４が挿入されて形成される。ナノ構造体２３４は、Ａｌ２Ｏ３またはＢａＳＯ４のように散乱率にすぐれる物質に、エッチングのような方法でナノ気孔を形成して構成することができる。ナノ構造体２３４として、例えば、ＡＡＯ（ａｎｏｄｉｚｉｎｇ  ａｌｕｍｉｎｕｍ  ｏｘｉｄｅ）が採用されうる。
【００３０】
図１１に図示された能動型半透過素子２０６は、透明電極層２２０，２４０がそれぞれ形成された第１基板２１０及び第２基板２５０間に半透過層が設けられ、半透過層は、ＰＤＬＣからなる第１液晶層２３０に、ナノ粒子２３７を混合して形成される。図面には、ナノワイヤの形態で図示されているが、ナノチューブ型のナノ物質が挿入されることも可能である。このようなナノ粒子２３７は、ＴｉＯ２、ＺｎＯ、ＢａＴｉＯ３、ＰｂＴｉＯ３、Ｐｂ（Ｚｒ，Ｔｉ）Ｏ３、Ａｌ２Ｏ３、ＳｉＯ２、ＢａＯ、ＳｒＴｉＯ３、ＺｎＳ、ＢａＳＯ４のような物質からなりうる。
【００３１】
図１２Ａないし図１２Ｃは、本発明のさらに他の実施形態によるディスプレイ装置の概略的な構造と、それぞれ反射型、透過型、半透過型で光を変調する様子を示す。
【００３２】
本実施形態のディスプレイ装置６０００は、バックライトユニット１００、能動型半透過素子２００及びディスプレイパネル８００を含む。能動型半透過素子２００は、光に対する透過率及び反射率が電気的に制御されるように構成されたものであり、透明電極層２２０，２４０が形成された第１基板２１０及び第２基板２５０間に、ＰＤＬＣからなる第１液晶層２３０を含む図示された構造以外に、前述した多様な例の能動型半透過素子２０２，２０４，２０６が採用されうる。また、ディスプレイパネル８００は、能動型半透過素子２００によって、反射及び／または透過された光を変調して画像を形成するものであり、前述の実施形態で説明したディスプレイパネル３００，４００，５００，６００，７０が採用されうる。
【００３３】
能動型半透過素子２００に光を提供するための別の光源としてバックライトユニット１００を具備する本実施形態の場合、周辺照度の高い野外では、図１２Ａのようにディスプレイパネル８００の前面から入射される野外光Ｌｆを利用して反射型で画像を形成し、周辺照度が低い条件では、図１２Ｂのように、バックライトユニット１００からの光Ｌｂを利用して透過型で画像を形成するように利用できる。また、必要によって、ディスプレイパネル８００の前面から入射される野外光Ｌｆと、バックライトユニット１００から提供される光Ｌｂとをいずれも利用して画像を形成でき、少ない電力消費量で高い輝度のディスプレイを具現できる。
【００３４】
上述のような本願発明のディスプレイ装置は、理解を助けるために図面に図示された実施形態を参考に説明したが、それらは例示的なものに過ぎず、当分野で当業者ならば、それらから多様な変形及び均等な他実施形態が可能であるという点を理解することができるであろう。従って、本発明の真の技術的保護範囲は、特許請求の範囲によって決まるものである。
【符号の説明】
【００３５】
１００  バックライトユニット、
２００，２０２，２０４，２０６  能動型半透過素子、
２１０  第１基板、
２２０，２４０，３２０，３４０，５１０，５５０，６１０，６４０，７１０，７４０  透明電極層、
２３０  第１液晶層、
２３４  ナノ構造体、
２３７  ナノ粒子、
２５０  第２基板、
３００，４００，５００，６００，７００，８００  ディスプレイパネル、
３１０  ＴＦＴ層、
３３０  第２液晶層、
３５０，４４０  カラーフィルタ、
３６０，５６０，６５０，７５０  第３基板、
４１０，４６０  偏光板、
４２０，４５０  透明基板、
４３０  液晶層、
５２０，６２０，７２０  隔壁、
５３０  空間、
５４０  電気泳動粒子、
６３０  電気変色層、
７３０  電気湿潤層、
１０００，２０００，３０００，４０００，５０００，６０００  ディスプレイ装置、
Ｌ  光。
【図１】
2010066767.tif 000003
【図２Ａ】
2010066767.tif 000004
【図２Ｂ】
2010066767.tif 000005
【図３Ａ】
2010066767.tif 000006
【図３Ｂ】
2010066767.tif 000007
【図４Ａ】
2010066767.tif 000008
【図４Ｂ】
2010066767.tif 000009
【図５】
2010066767.tif 000010
【図６】
2010066767.tif 000011
【図７】
2010066767.tif 000012
【図８】
2010066767.tif 000013
【図９】
2010066767.tif 000014
【図１０】
2010066767.tif 000015
【図１１】
2010066767.tif 000016
【図１２Ａ】
2010066767.tif 000017
【図１２Ｂ】
2010066767.tif 000018
【図１２Ｃ】
2010066767.tif 000019